(57)【特許請求の範囲】
【請求項１】
印刷装置が接続されたコンピューター上で実行される印刷設定プログラムであって、
前記コンピューターに、
前記印刷装置による印刷によって表す色味の設定に応じた印刷環境を設定させ、当該設定された印刷環境によって特定される所定のプロファイルを用いて色変換を行わせるに当たり、
前記印刷装置による印刷によって表す色味の設定が前記コンピューターに接続された表示装置の表示色を反映させる色味の設定である場合に、前記色変換を色管理アプリケーションで行わせる指定及び前記印刷装置に適合するプロファイルの指定を含む前記色管理アプリケーションに関する所定の印刷環境の設定を行うことによって、前記色管理アプリケーションに、前記設定されたプロファイルを用いて前記色変換を行わせることを特徴とする印刷設定プログラム。
【請求項２】
前記コンピューターに、
前記印刷装置による印刷によって表す色味の設定が前記印刷装置に固有の色値にもとづく色味の設定である場合に、前記色変換を前記印刷装置で行わせる指定を含む前記印刷装置に関する所定の印刷環境の設定を行うことによって、画像ファイルに埋め込まれたプロファイルを無効化し、前記印刷装置に、前記プロファイルを用いずに前記色変換を行わせる請求項１記載の印刷設定プログラム。
【請求項３】
前記コンピューターに、
前記コンピューターに接続された表示装置の表示色をなす色管理アプリケーションの作業環境のプロファイルと、画像ファイルに埋め込まれているプロファイルとが異なる場合においては、前記作業環境のプロファイルが前記画像ファイルに埋め込まれているプロファイルに置き換えられ、かつ、前記印刷によって表す色味の設定が前記コンピューターに接続された表示装置の表示色を反映させる色味の設定となっている場合に、所定の警告を行わせる請求項１又は２記載の印刷設定プログラム。
【発明の詳細な説明】
【技術分野】
【０００１】
本発明は、プリンターが接続されたコンピューター上で実行される印刷設定プログラムに関し、詳しくは、色管理を考慮した印刷環境設定の最適化及びその円滑化を可能とする印刷設定プログラムに関する。
【背景技術】
【０００２】
商業用印刷においては、画像データ（画像ファイル）をデザイナーに設計してもらうことがあり、このように設計された画像データは、作成段階だけではなく、出力においても適切に色管理がなされてこそ、デザイナーの意図した色味が再現される。
すなわち、ユーザーが、そのような画像データを印刷する場合、デザイナーの設計段階の色管理を考慮して印刷環境を整えることが求められる。
この点、プリンターにおける色変換しか考慮されていない従来の色管理においては、色管理アプリケーションによる色変換が想定されていないため、色管理アプリケーションを介して印刷を行った場合にユーザーの意図にそぐわない色の印刷物が出力されるおそれがある（例えば、特許文献１、２参照）。
このような問題を解消するには、例えば、画像ファイルの埋め込みプロファイルの有無を判断し、埋め込みプロファイルがあるときはこれを色変換に用いることで設計者の意向を汲んだ出力を行うことができる。
【０００３】
モニタの表示色やプリンターの印刷色は、図８に示す種々の印刷環境の設定によって定まる。
例えば、モニタ２の表示色は、埋め込みプロファイルと色管理アプリケーションの作業スペースとの掛け合わせで定まる。
また、プリンター１の印刷色は、図８に示すように、（i）ファイルの埋め込みプロファイル、（ii）アプリの作業スペース（アプリケーションの作業環境に設定されているプロファイル）、（iii）出力時における色変換を行う場所の指定の他、（iv）ＰＤＬ言語（Page  Description  Language：ページ記述言語）の設定、（v）ＣＩＥ最適化の設定など、種々の印刷環境の設定によって定まる。
図９（ａ）に示すように、色変換処理を含めアプリケーション側で種々の設定を行う場合や、同図（ｂ）に示すように、アプリケーション側で種々の設定を行うが最終的な色変換処理はプリンター側で行う場合があり、色変換を行う場所が異なることだけでも印刷色に変化を及ぼす。
【０００４】
ところで、埋め込みプロファイルと色管理アプリケーションの作業環境のプロファイル（以下、適宜、「作業スペースのプロファイル」又は「作業環境プロファイル」という。）とが一致しない場合に警告を行う色管理アプリケーションが存在する。
埋め込みプロファイルと作業環境プロファイルとが異なる場合、モニタ２の表示色が設計者の意図する色味と異なる不具合を防ぐためである。
【０００５】
具体的には、図１０に示す警告を画面に表示し、以下のいずれかの処理方法をユーザーに選択させる。
ａ．作業用スペースの代わりに埋め込みプロファイルを使用
ｂ．ドキュメントのカラーを作業スペースに変換
ｃ．埋め込まれたプロファイルを破棄（カラーマネージメントしない）
【０００６】
ここで、ａを選択した場合、図１１ａに示すように、色変換後の空間は、「ＲＧＢ＋埋め込みプロファイル」となり、モニタ２の表示色には埋め込みプロファイルが反映される。
ｂを選択すると、元の色値（ＲＧＢ）が作業スペースの色値に変換され（図１１ｂ参照）、モニタ２の表示色はその変換後の色値（Ｒ’Ｇ’Ｂ’）が反映される。
ｃを選択すると、埋込プロファイルは破棄され、元の色値（ＲＧＢ値）が保持されたままモニタ２に表示される。
このため、埋め込みプロファイルや作業環境プロファイルを適用せず、プリンター１本来の色値にもとづいて色を表したい（カラーマネージメントしない）場合には、ｃを選択する。
なお、ファイルにプロファイルが埋め込まれていない場合には、ｃを選択したときと同じ処理が行われる。
【先行技術文献】
【特許文献】
【０００７】
【特許文献１】特開２００１−２４６７８６号公報
【特許文献２】国際公開第２００３／０１０９５５号公報
【発明の概要】
【発明が解決しようとする課題】
【０００８】
しかしながら、色管理アプリケーションを用いて色管理を行うユーザーは、モニタ２の表示色を見ながら色味を調節し、調節後の色味にもとづいて印刷を行う作業を行うところ、モニタ２の表示色がそのまま印刷色に反映されるとは限らない。
【０００９】
具体的には、図１０においてａを選択する場合には、図１２のＴｙｐｅ２に示すように、プリンタードライバーで、付加された埋め込みプロファイルを適用して色変換を行うように設定する必要がある。このようにすると、色変換によって生成された印刷データ（CIE Based ABC）がプリンター１に送られ、モニタ２の表示色が印刷色に反映されることとなる。
また、図１０においてｂを選択する場合には、図１２のＴｙｐｅ１に示すように、色管理アプリケーションで、所定のプリンタープロファイル設定をして色変換を行うように設定する必要がある。このようにすると、色変換によって生成された印刷データ（DeviceR'G'B'）がプリンター１へ送られ、モニタ２の表示色が印刷色に反映されることとなる。
つまり、ユーザーの見た目にもとづく印刷色を再現するには、色変換を行う場所や色変換を行う場所ごとに複雑な印刷環境を設定する必要がある。
【００１０】
また、色管理アプリケーションの版の更新に伴い、図１０のｃ（「カラーマネージメントをしない」）を選択した処理ができなくなった。このため、プリンター固有の色値にもとづく色味によって印刷を望む場合には、複数の印刷環境を組み合わせた設定をユーザー自身が行う必要がある。
【００１１】
具体的には、図１３のＴｙｐｅ１に示すように、色管理アプリケーションによって色変換を行う場合、作業スペースをプリンタープロファイル（コンピューター３内で保持している任意の選択可能なプロファイル）と同じにし、元の色値（ＲＧＢ）を作業スペースの色値に変換させる設定が必要である。
また、同図のＴｙｐｅ２に示すように、プリンタードライバー（プリンター１）によって色変換を行う場合、ＰＤＬ言語の設定をＫＰＤＬ（登録商標）（パススルーＯｎ、ＣＩＥ最適化Ｏｎ）にすることによって付加された埋め込みプロファイルを無効化する設定が必要である。
【００１２】
このように、色管理アプリケーションを用いて印刷を行う場合においては、ユーザー（設計者含む）の意図に沿った色管理が求められるところ、印刷環境設定の複雑さによって色管理の円滑化や適正化の障害となっていた。
また、これら印刷環境に関する各項目は、一般にはあまり知られておらず、専門的な知識を要するため、すべてのユーザーがこれらを適切に設定することは困難であった。
【００１３】
本発明は、上記の事情に鑑みてなされたものであり、ユーザー自身が自ら様々な印刷環境設定を行うことなく、設計された通りの色を出す設定を自動的に行うことができる印刷設定プログラムの提供を目的とする。
また、ユーザーによっては、プロファイルを保持したい場合や無視したい場合があるため、ユーザーの要望通りの色を適切に出すための設定を行うことができるようにする。
さらに、色管理が行えるアプリケーションである場合、起動時にプリンター１の設定を最適化し、ユーザーに不要な選択をせずに印刷処理を行えるようにし、モニタ２に表示される色を重視した設定にしておくことにより、ユーザーが特別な設定を必要としないようにする。
また、出力デバイスであるプリンター１の色値を取得したい場合には、簡易な設定で取得可能とする。
【課題を解決するための手段】
【００１４】
上記目的を達成するため本発明の印刷設定プログラムは、印刷装置が接続されたコンピューター上で実行される印刷設定プログラムであって、コンピューターに、印刷装置による印刷によって表す色味の設定に応じた印刷環境を設定させ、当該設定された印刷環境によって特定される所定のプロファイルを用いて色変換を行わせるようにしてある。
【発明の効果】
【００１５】
本発明によれば、ユーザーの意向を汲みつつ適切かつ円滑な色管理にもとづく印刷を可能とする。
【図面の簡単な説明】
【００１６】
【図１】本発明の実施形態に係る印刷設定プログラムの機能構成を示す図である。
【図２】見た目重視の印刷環境設定を示す図である。
【図３】色値重視の印刷環境設定を示す図である。
【図４】プリント画面の起動時の印刷環境設定方法を示すフローチャートである。
【図５】「アプリによるカラー変換」に変更した時の印刷環境設定方法を示すフローチャートである。
【図６】「重視を色値」に変更した時の印刷環境設定を示すフローチャートである。
【図７】印刷を実行する直前の処理方法を示すフローチャートである。
【図８】印刷環境設定を説明するための図である。
【図９】色管理アプリケーションで色変換を行う場合と、プリンターで色変換を行う場合を示す図である。
【図１０】ファイルに埋め込まれたプロファイルと作業スペースのプロファイルとが一致しない場合に表示される警告を示す図である。
【図１１】図１０に示すそれぞれの処理方法について示した図である。
【図１２】色管理アプリケーションにおける色変換ルートを示す図である。
【図１３】元の色値（ＲＧＢ値）を保持しつつプリンターで色変換を行う場合の処理を示す図である。
【発明を実施するための形態】
【００１７】
以下、本発明の実施形態について、図面を参照して説明する。
具体的には、パーソナルコンピューター等のコンピューター３で生成又は保存された画像データを、モニタ２に表示させつつ、印刷設定プログラム１０により印刷環境設定がなされた印刷データをプリンター１に出力して印刷を行うケースについて説明する。
【００１８】
図１は、本発明の実施形態に係る印刷設定プログラムの機能構成を示す図である。
印刷設定プログラム１０は、コンピューター３の内部に格納されている。
コンピューター３は、ＣＰＵ（Central Process Unit）やチップセット等の制御要素、ＲＯＭ（Read
Only Memory）及びＲＡＭ（Random Access Memory）等により構成される（いずれも不図示）。ＣＰＵは、プログラムを実行する演算処理装置である。ＲＯＭは、プログラム及びデータを予め記憶した不揮発性のメモリである。ＲＡＭは、プログラムを実行する際にそのプログラム及びデータを一時的に記憶して、作業領域として用いるメモリである。ＲＯＭに記憶されたプログラムは、ＣＰＵの制御手段に読み込まれることにより、コンピューター３の構成各部に指令を送り、各種処理を行わせる。
【００１９】
具体的には、印刷設定プログラム１０とコンピューター３との協働により実現される機能的な構成として、ＰＤＬ設定手段１００２等からなる印刷設定部、作業環境プロファイル取得手段１００９等からなる作業環境情報部、その他の機能ブロックを構成する（図１参照）。
このような構成にすることによって、本発明の印刷設定プログラム１０は、コンピューター３に、プリンターによる印刷によって表す色味の設定に応じた印刷環境を設定させ、当該設定された印刷環境によって特定される所定のプロファイルを用いて色変換を行わせるようにしている。
【００２０】
また、コンピューター３は、ＣＰＵ、メモリの他、入力インタフェース、通信インタフェース、表示インタフェース等のハードウェア構成（いずれも不図示）を備える。
入力インタフェースは、マウスやキーボード等の入力装置と接続され、通信インタフェースは、プリンター１と直接又はケーブル等を介して接続される。
表示インタフェースは、モニタ２と接続され、例えば、画像データをモニタ２に出力する。
入力装置を介した操作により、画像データをモニタ２に表示させ、また、モニタ２に表示した画像データをプリンター１に出力することができる。
以上のように、本実施形態に係る印刷処理プログラム１０をコンピューター３にインストールすることによって、ソフトウェアとハードウェア資源とが協働して所望の作用・効果を奏する。
【００２１】
以下、印刷設定プログラム１０の各機能について説明する。
アプリケーション判定手段１００１は、印刷画面の起動時、及び、出力するプリンター１の変更時に、利用するアプリケーションが色管理可能な色管理アプリケーション４か否かを判定する。
具体的には、Photoshop（登録商標）など、種々の環境設定が可能な色管理アプリケーション４が該当する。
【００２２】
ＰＤＬ設定手段１００２は、アプリケーションが色管理アプリケーション４である場合に、ＰＤＬを、ＫＰＤＬ（登録商標）パススルーＯｎに設定する。
後記「ＣＩＥ最適化」（Ｏｆｆ）と組合せた設定によって、埋め込みプロファイルを有効化して、プリンター１における色変換に用いるものである。
なお、設定するＰＤＬ言語は、ＫＰＤＬ（登録商標）に限るものではなく、上記作用を奏する他のＰＤＬ言語であっても良い。
【００２３】
ＣＩＥ最適化設定手段１００３は、ＣＩＥ最適化のオン／オフを切替え可能に設定する。
「ＣＩＥ最適化」をＯｎに設定した場合、ＰＤＬの設定との組合せによって、プリンター１による色変換に際し、埋め込みプロファイルを無効化することができる。
他方、「ＣＩＥ最適化」をＯｆｆに設定した場合は、上述したように、ＰＤＬの設定との組合せによって、プリンター１による色変換に際し、埋め込みプロファイルを有効化することができる。
【００２４】
重視カラー設定手段１００４は、色変換処理において重点を切り替えるための設定手段である。
具体的には、「見た目重視」と「色値重視」があり、いずれかのモードをユーザーが選択し、又は、予め設定しておくことができる。
ここで、「見た目」とは、モニタ２に表示される画像を見た場合に、視覚（知覚）によって感じ取ることができるユーザーの主観を示す言葉であるが、具体的には、モニタ２の表示色やその色味を示す。
【００２５】
「見た目重視」モードには、さらに２つのモードがある。
一つは、埋め込みプロファイルを使用して表示されるモニタ２の表示色を印刷色に反映させるためのモード、すなわち、「設計値を反映した見た目重視のモード」である。
もう一つは、埋め込みプロファイルを無視して、作業環境プロファイルを使用して表示されるモニタ２の表示色を印刷色に反映させるためのモード、すなわち、「作業環境を反映した見た目重視のモード」である。
「色値重視」は、画像データの元の色値そのままプリンター１に渡すことで、プリンター本来の色値にもとづく印刷色を出力させるためのモードである。
【００２６】
本実施形態の印刷設定プログラム１０においては、「設計値を反映した見た目重視のモード」を初期のモードとして設定し、他のモードをユーザーが選択できるようにしている。
色管理アプリケーション４を用いる場合、モニタ２の表示色がそのまま印刷色に反映されることをユーザーが期待し、また、データにプロファイルが埋め込まれている場合は、そのプロファイルを反映させて表示し、印刷するのが通常だからである。
【００２７】
色変換場所指定手段１００５は、色管理アプリケーション４における印刷設定において、色変換処理を行う場所として色管理アプリケーション４又はプリンター１を指定する。
具体的には、色変換場所指定手段１００５が、色管理アプリケーション４に色変換処理を行う場所を通知し、色管理アプリケーション４の機能によって色変換を行う場所が指定される。
【００２８】
出力プロファイル指定手段１００６は、色変換処理を行う場所が色管理アプリケーション４である場合に、その色変換に適用するプロファイルを指定する。
具体的には、コンピューター３で保持しているプロファイルの内、出力先のプリンター１がもつ固有のプロファイル（プリンタープロファイル）を指定する。
【００２９】
データ読込手段１００７は、ファイルを開くときに、そのファイルデータを読み込み、埋め込みプロファイル判定手段１００８は、その読み込まれたファイルにプロファイルが埋め込まれているかどうかを判定する。
プロファイルが埋め込まれている場合には、その埋め込みプロファイルを取得する。
作業環境プロファイル取得手段１００９は、色管理アプリケーション４の作業スペースに設定されているプロファイル、すなわち、作業環境プロファイルを取得する。
表示色変換設定値保持手段１０１０は、作業環境プロファイルを埋め込みプロファイルに置換して設定した場合に、その設定を保持する。
このため、埋め込みプロファイルがあっても、これを作業環境に用いない場合、すなわち、前記設定が変更されていないことを検知するものである。
【００３０】
作業環境プロファイル設定手段１０１１は、作業環境プロファイルを埋め込みプロファイルに置き換えて設定する。具体的には、埋め込みプロファイルと作業環境プロファイルとが異なる場合に、作業環境プロファイルとして、もとの作業環境プロファイルをそのまま適用するか、又は、埋め込みプロファイルを適用するかの選択の機会が付与され、これに対して、ユーザーが、後者を選択した場合に、埋め込みプロファイルを作業環境プロファイルとして設定する。
【００３１】
プロファイル一致判定手段１０１２は、「見た目重視モード」が設定されている場合において、埋め込みプロファイルを用いず、元の作業環境プロファイルをそのまま適用されている場合に所定の警告を行う。
すなわち、係る場合には、モニタ２の表示色が印刷色と同等となるが、そもそもモニタ２の表示色が設計値と異なり、そのため、印刷色も設計値と異なることになる。
このため、そのようなユーザー（設計者）の意図にそぐわない結果になり得ることを報知するものである。
印刷データ作成手段１０１３は、種々の印刷環境設定にもとづきプリンター１に送信する印刷データを作成する。
【００３２】
（モードごとの印刷環境設定）
ここで、重視するモードごとの印刷環境設定について図面を参照しながら説明する。
図２は、「見た目重視」モードにもとづく印刷環境設定を示す図である。
図２に示すように、印刷色において見た目（知覚）の色味を再現するための印刷環境設定には２通り（上段・下段）がある。
【００３３】
図２の上段は、「作業環境を反映した見た目重視モード」に関する印刷環境設定を示したものである。
すなわち、コンピューター３に、色変換を色管理アプリケーション４で行わせる指定及びプリンター１に適合するプロファイルの指定を含む色管理アプリケーションに関する所定の印刷環境の設定を行うことによって、この色管理アプリケーション４に、このプロファイルを用いて色変換を行わせるものである。
【００３４】
具体的には、色管理アプリケーション４のプリント設定において、色変換を色管理アプリケーション４で行うことを設定する（色変換場所指定手段１００５の動作）とともに、プリンタープロファイルを出力先のプリンター１が持つ固有のプロファイルを設定する（出力プロファイル指定手段１００６の動作）。
なお、プリンタードライバーの設定は不問である。すなわち、プリンタードライバーにおけるＰＤＬ言語の設定やＣＩＥ最適化の設定は、本モードの作用に影響を及ぼさないため、別段の設定は必要なく、また、何らかの設定をしたとしても影響はない。
【００３５】
図２の下段は、「設計値を反映した見た目重視モード」に関する印刷環境設定を示したものである。ここでは、プリンター１において色変換を行うにあたり、埋め込みプロファイルを適用するようにしている。
すなわち、コンピューター３に、色変換をプリンター１で行わせる指定を含むプリンターに関する所定の印刷環境の設定を行うことによって画像ファイルに埋め込まれたプロファイルを有効化し、プリンター１に、この有効化された埋め込みプロファイルを用いて色変換を行わせるものである。
【００３６】
具体的には、色管理アプリケーション４が、「プリンターによるカラー変換」を設定するとともに、プリンタードライバーにおける設定として、ＰＤＬ言語をＫＰＤＬ（登録商標）パススルーＯｎに、ＣＩＥ最適化をＯｆｆに設定する。
このようにすると、ファイルに埋め込まれたプロファイルを色変換に反映させることができるため、ユーザー（設計者）の意図に沿った見た目の色味を印刷色として再現することができる。
【００３７】
図３は、「色値重視」の印刷環境設定を示す図である。
図３に示すように、値（色値）を重視する場合の印刷環境の設定には、２通り（上段・下段）の方法があるが、本実施形態では、下段の方法を採用する。
すなわち、コンピューター３に、色変換をプリンター１で行わせる指定を含むプリンターに関する所定の印刷環境の設定を行うことによって、画像ファイルに埋め込まれたプロファイルを無効化し、プリンター１に、この無効化されたプロファイルを用いずに色変換を行わせるものである。
【００３８】
具体的には、色管理アプリケーション４のプリント設定においては、「プリンターによるカラー変換」を設定するとともに、プリンタードライバーにおける設定として、ＰＤＬ言語をＫＰＤＬ（登録商標）パススルーＯｎに、ＣＩＥ最適化をＯｎに設定する。
このようにすると、図１３のＴｙｐｅ２に示すように、プリンター１では元の色値（ＲＧＢ値）にもとづき、プリンター１が有する色空間（色変換テーブル）における色変換が可能となるため、プリンター本来の色値にもとづく印刷色を得られることになる。
【００３９】
図４〜７は、図２及び図３で示した印刷環境の設定手順を示すフローチャートである。
図４は、プリント画面の起動時の印刷環境設定方法を示すフローチャートである。具体的には、「設計値を反映した見た目重視モード」（図２の上段）の場合における印刷環境設定の手順を示すものである。
図４に示すように、プリント画面の起動時においては、まず、アプリケーションが色管理を行うことができるものか否かを判定する（Ｓ１１０１）。
具体的には、アプリケーション判定手段１００１が、アプリケーションが、Photoshop（登録商標）等、種々の印刷環境設定が可能な色管理アプリケーション４か否かを確認し、該当すれば次のステップに進み、該当しない場合は、処理を終了する。
【００４０】
アプリケーションが、該当する色管理アプリケーション４であると判定された場合、ＰＤＬ設定手段１００２は、プリンタードライバーの設定におけるＰＤＬ言語の設定において、ＫＰＤＬ（登録商標）パススルーＯｎを設定し（Ｓ１１０２）、色変換場所指定手段１００５が、色管理アプリケーション４の印刷設定において、色変換を行う場所を「プリンターによるカラー変換」に設定し（Ｓ１１０３）、ＣＩＥ最適化設定手段１００３が、プリンタードライバーの設定において、ＣＩＥ最適化をＯｎに設定する（Ｓ１１０４）。
そして、重視カラー設定手段１００４は、係る印刷環境設定の状態を、「見た目（知覚）重視」と設定する（Ｓ１１０５）。
【００４１】
係る一連の処理を通して、「設計値を反映した見た目重視モード」が設定される。つまり、プリント画面起動時の初期設定として係るモードが自動的に設定される。
これにより、モニタ２の表示色とプリンター１の印刷色にはいずれも埋め込みプロファイルが適用されるため、設計値を反映した色味を再現することができる。
また、プリンター１の印刷色は、モニタ２の表示色が反映されることになるため、ユーザーの見た目の色味を再現することができる。
【００４２】
図５は、「アプリによるカラー変換」に変更した時の印刷環境設定方法を示すフローチャートである。
具体的には、図４に続く動作手順であり、具体的には、「設計値を反映した見た目重視モード」（図２の下段）から、「作業環境を反映した見た目重視モード」（図２の上段）に変更する場合（変更しない場合も含む）の印刷環境設定の手順を示すものである。
【００４３】
ここでは、まず、色管理アプリケーション４の印刷設定で、「アプリによるカラー変換」に変更するか否かを判定する（Ｓ１２０１）。
ユーザーが「アプリによるカラー変換」への変更を希望する場合、ユーザーの所定操作に応じ、出力プロファイル指定手段１００６が、プリンター１の固有のプロファイルを指定する（Ｓ１２０２）。
プリンタードライバーのＰＤＬ設定は、ＫＰＤＬ（登録商標）パススルーＯｎに固定されている（図４のＳ１１０２参照）。
その後、重視カラー設定手段１００４は、係る印刷環境設定の状態を、見た目（知覚）重視と設定する（Ｓ１２０３）。
なお、重視の設定以外のプリンタードライバーでの設定変更は禁止する（Ｓ１２０４）。
【００４４】
係る一連の処理を通して、「作業環境を反映した見た目重視モード」が設定される。
これにより、モニタ２の表示色とプリンター１の印刷色にはいずれも作業環境プロファイル（プリンタープロファイル）が適用されるため、作業環境を反映した色味を再現することができる。
また、プリンター１の印刷色は、モニタ２の表示色が反映されることになるため、ユーザーの見た目の色味を再現することができる。
【００４５】
図６は、プリンター１により色変換を行う場合の印刷環境設定の手順を示すフローチャートである。具体的には、図５に続く動作手順である。
まず、色値重視に変更するか否かを判定する（Ｓ１３０１）。
すなわち、「作業環境を反映した見た目重視モード」を「色値重視モード」に変更するか、又は、「設計値を反映した見た目重視モード」に変更するかを、ユーザーが選択する。
【００４６】
ここで、ユーザーが、色値重視を希望する場合、ユーザーの操作に応じ、色管理アプリケーション４の印刷設定において、「プリンターによるカラー変換」にする（Ｓ１３０２）設定が行われる（色変換場所指定手段１００５の動作）。
次に、プリンタードライバーの設定において、ＣＩＥ最適化をＯｎにする（Ｓ１３０３）設定が行われる（ＣＩＥ最適化設定手段の動作）。
プリンタードライバーのＰＤＬ設定は、ＫＰＤＬ（登録商標）パススルーＯｎに固定されている（図４のＳ１１０２参照）。
このようにすると、少なくともプリンター１には、元のＲＧＢ値がそのまま送られるため、印刷色としてプリンター本来の色値にもとづく色味を再現することができる。
【００４７】
ユーザーが色値重視を希望しない場合、ユーザーの所定操作に応じ、色管理アプリケーション４の印刷設定において、「プリンターによるカラー変換」にする（Ｓ１３０４）設定が行われ、プリンタードライバーの設定において、ＣＩＥ最適化をＯｆｆにする（Ｓ１３０５）設定が行われる。
プリンタードライバーのＰＤＬ設定は、ＫＰＤＬ（登録商標）パススルーＯｎに固定されている（図４のＳ１１０２参照）。
このようにすると、「設計値を反映した見た目重視モード」（図４参照）に変更される。
したがって、係るモードに戻したい場合には、ユーザーが適宜変更することができる。
【００４８】
図７は、印刷を実行する直前の処理方法を示すフローチャートである。
ところで、色管理アプリケーションにおいては、印刷を実行する際に、埋め込みプロファイルと作業環境プロファイルとが一致しない場合に、警告を出すものがある。この場合、ユーザーはモニタ２への表示色としてどちらのプロファイルを適用するかを選択せざるを得ない。
ここでは、係る状況において、埋め込みプロファイルが選択された場合の処理について説明する。
まず、埋め込みプロファイルを破棄したか否かを判定する（Ｓ１４０１）。
具体的には、前記選択の際、ユーザーが、埋込プロファイルを用いずに元の作業環境プロファイルを適用した場合（Ｓ１４０１：Ｙｅｓ）が該当し、埋め込みプロファイルを作業環境プロファイルとして用いた場合（Ｓ１４０１：Ｎｏ）には以下のステップを経ずに処理を終了する。
【００４９】
埋め込みプロファイルを破棄した場合、つぎに、モードが見た目（知覚）重視か否かを確認する（Ｓ１４０２）。
見た目重視モードが設定されている場合、ファイルの色情報が変わっていることを警告する（Ｓ１４０３）。
これにより、ユーザーは、印刷色が設計値と異なるために、意図しない色味によって印刷されることを予め知ることができる。
なお、色値重視モードが設定されている場合には警告は行わない。色値重視モードを選択したことにより、設計値と異なる色味で印刷されることをユーザーは既に認識しているものと考えられるからである。
【００５０】
以上、本実施形態の印刷設定プログラム１０によれば、ユーザー自身が自ら様々な印刷環境設定を行うことなく、設計された通りの色を出す設定を自動的に行うことができる。
また、ユーザーによっては、プロファイルを保持したい場合や無視したい場合があるため、ユーザーの要望通りの色を適切に出すための設定を行うことができる。
さらに、色管理が行えるアプリケーションである場合、起動時にプリンター１の設定を最適化し、ユーザーに不要な選択をせずに印刷処理を行えるようにし、モニタ２に表示される色を重視した設定にしておくことにより、ユーザーが特別な設定を必要としないようにすることができる。
また、出力デバイスであるプリンター１の色値を取得したい場合には、簡易な設定で取得することができる。
【００５１】
以上、本発明について、実施形態を示して説明したが、本発明は、上述した実施形態にのみ限定されるものではなく、特許請求の範囲内で種々の変更が可能であることは言うまでもない。
例えば、色値重視モードの設定として、図３の下段を例に挙げて説明したが、同図の上段にもとづく設定（すなわち、色変換をアプリ側で行い、プリンタープロファイルを作業スペースと同等とするプリント設定）とすることによっても同様のモードを設定することができる。
【産業上の利用可能性】
【００５２】
本発明は、プリンターが接続されたコンピューター上で実行される印刷設定プログラムであり、プリンタードライバー、印刷ユーティリティ、画像処理アプリケーション等に適用することができる。
【符号の説明】
【００５３】
１  プリンター
２  モニタ
３  コンピューター
４  色管理アプリケーション
１０  印刷設定プログラム
１００１  アプリケーション判定手段
１００２  ＰＤＬ設定手段
１００３  ＣＩＥ最適化設定手段
１００４  重視カラー設定手段
１００５  色変換場所指定手段
１００６  出力プロファイル指定手段
【図１】
0005690763.tif 000002
【図２】
0005690763.tif 000003
【図３】
0005690763.tif 000004
【図４】
0005690763.tif 000005
【図５】
0005690763.tif 000006
【図６】
0005690763.tif 000007
【図７】
0005690763.tif 000008
【図８】
0005690763.tif 000009
【図９】
0005690763.tif 000010
【図１１】
0005690763.tif 000011
【図１２】
0005690763.tif 000012
【図１３】
0005690763.tif 000013
【図１０】
0005690763.tif 000014